(57)【要約】【課題】  作業や個人に関連のある事例を実際に作業を行う場所で確認することによって、過去の事象をより身近に感じることができ、有効活用が可能となる、過去のトラブル事象の自動配信システムを提供する。【解決手段】  過去のトラブル事象の自動配信システムにおいて、作業時に携帯する携帯端末（１）のＧＰＳ機能を利用して、その場所で過去に起こった事故事象をデータベース（２，３）から検索し、前記携帯端末（１）の画面（１Ａ）に自動表示させ、さらに、事故事象の検索条件を変更して、事象の発生時間や作業内容種別、関係者、作業者の個人属性を絞り込むことによって、より作業者個人または作業内容に関連の高い情報を前記携帯端末（１）の画面（１Ａ）に表示させ、作業や個人に関連のある事例を実際に作業を行う場所で確認することによって、過去の事象をより身近に感じることができるように構成した。【選択図】  図１
2014109911.tif 000002
【特許請求の範囲】
【請求項１】
作業時に携帯する携帯端末（１）のＧＰＳ機能を利用して、その場所で過去に起こった事故事象をデータベース（２，３）から検索し、前記携帯端末（１）の画面（１Ａ）に自動表示させ、さらに、事故事象の検索条件を変更して、事象の発生時間や作業内容種別、関係者、作業者の個人属性を絞り込むことによって、より作業者個人または作業内容に関連の高い情報を前記携帯端末（１）の画面（１Ａ）に表示させ、作業や個人に関連のある事例を実際に作業を行う場所で確認することによって、過去の事象をより身近に感じることができるように構成したことを特徴とする過去のトラブル事象の自動配信システム。
【請求項２】
請求項１記載の過去のトラブル事象の自動配信システムにおいて、作業前に個人番号の入力と、作業キーワードの選択と、検索条件の設定を行い、作業中に前記携帯端末のＧＰＳ機能を用いて、作業場所に関連のある事故事象が自動表示されることを特徴とする過去のトラブル事象の自動配信システム。
【請求項３】
請求項１記載の過去のトラブル事象の自動配信システムにおいて、前記携帯端末を鉄道車両の運転士が携帯することを特徴とする過去のトラブル事象の自動配信システム。
【請求項４】
請求項１記載の過去のトラブル事象の自動配信システムにおいて、前記携帯端末を線路工事を指揮する工事管理者が携帯することを特徴とする過去のトラブル事象の自動配信システム。
【発明の詳細な説明】
【技術分野】
【０００１】
本発明は、鉄道運転作業における安全教育に関する、過去のトラブル事象の自動配信システムに関するものである。
【背景技術】
【０００２】
従来、過去のトラブル事象を風化させないようにするため、トラブル内容の掲出や点呼での伝達が行われている。
【先行技術文献】
【特許文献】
【０００３】
【特許文献１】特開２００５−１８９１４１号公報
【発明の概要】
【発明が解決しようとする課題】
【０００４】
しかしながら、上記したトラブル内容の掲出や点呼での伝達では、受けてがそれを全て記憶することや、自分に関連のある事象であると意識づけることは困難であった。つまり、様々な分野において、過去の事故やヒヤリハット事象を教訓する取り組みが行われているが、その事象を一人ひとりが他人事と思わず、自分自身やその日の作業（または計画させている作業）等に置き換えて意識づけることは困難であった。
【０００５】
本発明は、上記状況に鑑みて、作業や個人に関連のある事例を実際に作業を行う場所で確認することによって、過去の事象をより身近に感じることができ、有効活用が可能となる、過去のトラブル事象の自動配信システムを提供することを目的とする。
【課題を解決するための手段】
【０００６】
本発明は、上記目的を達成するために、
〔１〕過去のトラブル事象の自動配信システムにおいて、作業時に携帯する携帯端末（１）のＧＰＳ機能を利用して、その場所で過去に起こった事故事象をデータベース（２，３）から検索し、前記携帯端末（１）の画面（１Ａ）に自動表示させ、さらに、事故事象の検索条件を変更して、事象の発生時間や作業内容種別、関係者、作業者の個人属性を絞り込むことによって、より作業者個人または作業内容に関連の高い情報を前記携帯端末（１）の画面（１Ａ）に表示させ、作業や個人に関連のある事例を実際に作業を行う場所で確認することによって、過去の事象をより身近に感じることができるように構成したことを特徴とする。
【０００７】
〔２〕上記〔１〕記載の過去のトラブル事象の自動配信システムにおいて、作業前に個人番号の入力と、作業キーワードの選択と、検索条件の設定を行い、作業中に前記携帯端末のＧＰＳ機能を用いて、作業場所に関連のある事故事象が自動表示されることを特徴とする。
〔３〕上記〔１〕記載の過去のトラブル事象の自動配信システムにおいて、前記携帯端末を鉄道車両の運転士が携帯することを特徴とする。
【０００８】
〔４〕上記〔１〕記載の過去のトラブル事象の自動配信システムにおいて、前記携帯端末を線路工事を指揮する工事管理者が携帯することを特徴とする。
【発明の効果】
【０００９】
本発明によれば、当該作業や個人に関連のある情報を選別して提供することができるので、「他人事」と思ってしまうことを防ぐことができる。
また、掲示物や、口頭での説明に比べて、映像を用いた情報の提示が可能となり、より現実の事象として印象付けることができる。
【図面の簡単な説明】
【００１０】
【図１】本発明の実施例を示す過去のトラブル事象の自動配信システムの模式図である。
【図２】本発明にかかる鉄道車両の運転士による携帯端末を用いる事例の模式図である。
【図３】本発明にかかる工事管理者、見張り員、作業員による工事現場における携帯端末を用いる事例の模式図である。
【発明を実施するための形態】
【００１１】
本発明の過去のトラブル事象の自動配信システムは、作業時に携帯する携帯端末のＧＰＳ機能を利用して、その場所で過去に起こった事故事象をデータベースから検索し、前記携帯端末の画面に自動表示させ、さらに、事故事象の検索条件を変更して、事象の発生時間や作業内容種別、関係者、作業者の個人属性を絞り込むことによって、より作業者個人または作業内容に関連の高い情報を前記携帯端末の画面に表示させ、作業や個人に関連のある事例を実際に作業を行う場所で確認することによって、過去の事象をより身近に感じることができるように構成した。
【実施例】
【００１２】
以下、本発明の実施の形態について詳細に説明する。
図１は本発明の実施例を示す過去のトラブル事象の自動配信システムの模式図である。
この図において、１は作業時に携帯する携帯端末（スマートフォン、タブレット等）、２は個人情報のデータベース、３は事故情報のデータベース、４は携帯端末１を携帯する鉄道車両５の運転士６による車両の運行、７は携帯端末１を携帯する工事管理者８、見張り員９、作業員１０が従事する線路工事、１１は携帯端末１の中継局である。
【００１３】
本発明は、作業時に携帯する携帯端末（スマートフォン、タブレット等）１のＧＰＳ機能を利用して、その場所で過去に起こった事故事象等をデータベース（ＤＢ）２，３から検索し、携帯端末１の画面１Ａに自動表示させるものである。さらに、事故事象の検索条件を変更して、事象の発生時間や作業内容種別、関係者、作業者の個人属性等を絞り込むことによって、より作業者個人または作業内容に関連の高い情報を画面１Ａに表示させることが可能となる。作業や個人に関連のある事例を実際に作業を行う場所、例えば、運行場所や工事場所で確認することによって、過去の事象をより身近に感じることができ、有効活用が可能となる。
【００１４】
本発明によれば、例えば、
（１）個人番号によって年齢、職務内容、経験等を管理する。
（２）作業開始前に、作業内容のキーワードを選択する。
（３）過去のトラブル事象の検索条件を設定する。
（４）作業場所に関連した過去の事象が検索された場合、携帯端末に自動配信され自動表示される。
【００１５】
まず、第１の過去のトラブル事象例について説明する。
図２は本発明にかかる鉄道車両の運転士による携帯端末を用いる事例の模式図である。
この過去のトラブル事象は、停止位置不良の事例である。
〔発生日時〕○○年○月○日  ○○：○○
〔天候〕雨
〔発生場所〕○○線○○駅
〔関係者〕運転士○○歳，経験○○年
〔原因〕雨により、ブレーキの効きが悪かったにも関わらず早めのブレーキ動作を行わなかった為。
【００１６】
〔概況〕○○運転士は雨により、ブレーキの効きが悪く、早めのブレーキ動作が必要であることは分かっていたが、当該運転士は、この列車は本日最後の乗務であり、乗務終了後のことについて考え事をしており、早めのブレーキ動作を失念した。これにより、先頭車両がホームから外れ、車掌と打ち合わせの上、後退し、客使いをしたため、○○駅を５分遅発した。
【００１７】
〔対策〕雨天時の早めのブレーキ操作。
作業の終了間際は集中力が途切れないように注意。
次に、第２の過去のトラブル事象例について説明する。
図３は本発明にかかる工事管理者、見張り員、作業員による工事現場における携帯端末を用いる事例の模式図である。
【００１８】
この過去のトラブル事象は、待避不良の事例である。
〔発生日時〕○○年○月○日  ○○：○○
〔天候〕晴れ
〔発生場所〕○○線○○・○○間（○○起点○○ｍ付近）
〔関係者〕工事管理者○歳  経験○年、見張り員Ａ○歳  経験○年、見張り員Ｂ○歳  経験○年、作業員Ａ○歳  経験○年、作業員Ｂ○歳  経験○年、
〔原因〕見張り員Ａが前方を注視しておらず、列車進来確認が遅れたため。
【００１９】
〔概況〕見張り員Ａは、予定されていた作業の遅れが気になり、作業の様子を見ていたところ、列車進来確認が遅れ、慌てて待避をしたが、○○列車の汽笛吹鳴を受けた。
〔対策〕作業前の打ち合わせにおいて、見張りの役割を十分に説明。
無理のない作業計画（量・時間）を立てる。
なお、本発明は上記実施例に限定されるものではなく、本発明の趣旨に基づき種々の変形が可能であり、これらを本発明の範囲から排除するものではない。
【産業上の利用可能性】
【００２０】
本発明の過去のトラブル事象の自動配信システムは、作業や個人に関連のある事例を実際に作業を行う場所で確認することによって、過去の事象をより身近に感じることができ、有効活用が可能となる、過去のトラブル事象の自動配信システムとして利用可能である。
【符号の説明】
【００２１】
１    作業時に携帯する携帯端末
１Ａ    携帯端末の画面
２    個人情報のデータベース
３    事故情報のデータベース
４    車両の運行
５    鉄道車両
６    運転士
７    線路工事
８    工事管理者
９    見張り員
１０    作業員
１１    携帯端末の中継局
【図１】
2014109911.tif 000003
【図２】
2014109911.tif 000004
【図３】
2014109911.tif 000005